(57)【要約】      （修正有）【課題】陳列される商品の数に応じた情報提供を実現する情報処理方法およびプログラムを提供する。【解決手段】情報処理装置１０において、表示制御部１４は、商品数識別部１３により識別された数が０の場合には、商品識別部１２により識別された商品が入荷されたときの割引に関する割引情報を撮像表示装置２０において現実空間に重畳表示させるとともに、その商品の入荷の予定に関する予定情報を重畳表示させる。一方、商品数識別部１３により識別された数が０を超える場合には、表示制御部１４は、撮像表示装置２０において上記の割引情報を現実空間に重畳表示させず、商品識別部１２により識別された商品の説明を含む情報を現実空間に重畳表示させる。【選択図】図５
2019082824.tif 000002
【特許請求の範囲】
【請求項１】
陳列される商品を識別する商品識別部と、
陳列される前記商品の数を識別する商品数識別部と、
前記商品識別部により識別された商品に関する情報であって前記商品数識別部により識別された数に応じた情報を、陳列される前記商品を含む現実空間に重畳表示させる表示制御部と
を備えることを特徴とする情報処理装置。
【請求項２】
前記表示制御部は、
前記商品数識別部により識別された数が０の場合には、前記商品識別部により識別された商品の割引に関する割引情報を重畳表示させ、
前記商品数識別部により識別された数が０を超える場合には、前記割引情報を重畳表示させない
ことを特徴とする請求項１記載の情報処理装置。
【請求項３】
前記表示制御部は、
前記商品数識別部により識別された数が０を超える場合には、前記商品識別部により識別された商品の説明を含む情報を重畳表示させる
ことを特徴とする請求項１又は２記載の情報処理装置。
【請求項４】
前記表示制御部は、
前記商品数識別部により識別された数が０を超える場合には、前記商品識別部により識別された商品の数に応じた価格を含む情報を重畳表示させる
ことを特徴とする請求項１〜３のいずれか１項に記載の情報処理装置。
【請求項５】
前記表示制御部は、
前記商品数識別部により識別された数が０の場合には、前記商品識別部により識別された商品の提供、陳列又は入荷の予定に関する予定情報を重畳表示させる
ことを特徴とする請求項１〜４のいずれか１項に記載の情報処理装置。
【請求項６】
前記表示制御部は、
前記商品識別部により識別された商品に関する情報であって前記商品数識別部により識別された数の減少のしかたに応じた情報を重畳表示させる
ことを特徴とする請求項１〜５のいずれか１項に記載の情報処理装置。
【請求項７】
ユーザが陳列される前記商品に触った回数又は期間を識別する接触識別部を備え、
前記表示制御部は、前記商品識別部により識別された商品に関する情報であって、前記商品数識別部により識別された数及び前記接触識別部により識別された回数又は期間に応じた情報を重畳表示させる
ことを特徴とする請求項１〜６のいずれか１項に記載の情報処理装置。
【請求項８】
陳列される前記商品を見ているユーザを識別するユーザ識別部を備え、
前記表示制御部は、前記商品識別部により識別された商品に関する情報であって、前記商品数識別部により識別された数及び前記ユーザ識別部により識別されたユーザに応じた情報を重畳表示させる
ことを特徴とする請求項１〜７のいずれか１項に記載の情報処理装置。
【請求項９】
前記表示制御部は、前記商品識別部により識別された商品に関する情報であって、前記商品数識別部により識別された数及び前記ユーザ識別部により識別されたユーザによる当該商品の購入履歴に応じた情報を重畳表示させる
ことを特徴とする請求項８に記載の情報処理装置。
【請求項１０】
コンピュータを、
陳列される商品を識別する商品識別部と、
陳列される前記商品の数を識別する商品数識別部と、
前記商品識別部により識別された商品に関する情報であって前記商品数識別部により識別された数に応じた情報を、陳列される前記商品を含む現実空間に重畳表示させる表示制御部と
して機能させるためのプログラム。
【発明の詳細な説明】
【技術分野】
【０００１】
本発明は、撮像画像に画像を重畳表示するための技術に関する。
【背景技術】
【０００２】
いわゆるＡＲ（拡張現実）は、現実空間に対して情報の付加・削除・強調・減衰を行うことで、人間が見た現実の世界を拡張するものである。例えば特許文献１には、ＨＭＤ１００に搭載されたカメラ１０により撮像された商品の実像に重畳して商品情報画像Ｑ１を表示させることにより、ＨＭＤ１００の装着者は、商品の商品情報をリアルタイムに閲覧することが可能となる。
【先行技術文献】
【特許文献】
【０００３】
【特許文献１】特開２０１１−２５３３２４号公報
【発明の概要】
【発明が解決しようとする課題】
【０００４】
ところで、例えばスーパーマーケットのような店舗では、陳列棚に商品が無い状態、いわゆる品切れが起こることがある。本発明は、この点に着目し、陳列される商品の数に応じた情報提供を実現することを目的とする。
【課題を解決するための手段】
【０００５】
上記課題を解決するため、本発明は、陳列される商品を識別する商品識別部と、陳列される前記商品の数を識別する商品数識別部と、前記商品識別部により識別された商品に関する情報であって前記商品数識別部により識別された数に応じた情報を、陳列される前記商品を含む現実空間に重畳表示させる表示制御部とを備えることを特徴とする情報処理装置を提供する。
【０００６】
前記表示制御部は、前記商品数識別部により識別された数が０の場合には、前記商品識別部により識別された商品の割引に関する割引情報を重畳表示させ、前記商品数識別部により識別された数が０を超える場合には、前記割引情報を重畳表示させないようにしてもよい。
【０００７】
前記表示制御部は、前記商品数識別部により識別された数が０を超える場合には、前記商品識別部により識別された商品の説明を含む情報を重畳表示させるようにしてもよい。
【０００８】
前記表示制御部は、前記商品数識別部により識別された数が０を超える場合には、前記商品識別部により識別された商品の数に応じた価格を含む情報を重畳表示させるようにしてもよい。
【０００９】
前記表示制御部は、前記商品数識別部により識別された数が０の場合には、前記商品識別部により識別された商品の提供、陳列又は入荷の予定に関する予定情報を重畳表示させるようにしてもよい。
【００１０】
前記表示制御部は、前記商品識別部により識別された商品に関する情報であって、前記商品数識別部により識別された数の減少のしかたに応じた情報を重畳表示させるようにしてもよい。
【００１１】
ユーザが陳列される前記商品に触った回数又は期間を識別する接触識別部を備え、前記表示制御部は、前記商品識別部により識別された商品に関する情報であって、前記商品数識別部により識別された数及び前記接触識別部により識別された回数又は期間に応じた情報を重畳表示させるようにしてもよい。
【００１２】
陳列される前記商品を見ているユーザを識別するユーザ識別部を備え、前記表示制御部は、前記商品識別部により識別された商品に関する情報であって、前記商品数識別部により識別された数及び前記ユーザ識別部により識別されたユーザに応じた情報を重畳表示させるようにしてもよい。
【００１３】
前記表示制御部は、前記商品識別部により識別された商品に関する情報であって、前記商品数識別部により識別された数及び前記ユーザ識別部により識別されたユーザによる当該商品の購入履歴に応じた情報を重畳表示させるようにしてもよい。
【００１４】
また、本発明は、コンピュータを、陳列される商品を識別する商品識別部と、陳列される前記商品の数を識別する商品数識別部と、前記商品識別部により識別された商品に関する情報であって前記商品数識別部により識別された数に応じた情報を、陳列される前記商品を含む現実空間に重畳表示させる表示制御部として機能させるためのプログラムを提供する。
【発明の効果】
【００１５】
本発明によれば、陳列される商品の数に応じた情報提供が可能となる。
【図面の簡単な説明】
【００１６】
【図１】本発明の一実施形態に係る情報処理システムの構成を例示する図である。
【図２】撮像表示装置のハードウェア構成の一例を示すブロック図である。
【図３】情報処理装置のハードウェア構成の一例を示すブロック図である。
【図４】情報処理装置に記憶されている商品ＤＢの一例を示す図である。
【図５】情報処理システムの機能構成の一例を示すブロック図である。
【図６】情報処理システムの動作の一例を示すシーケンスチャートである。
【発明を実施するための形態】
【００１７】
［構成］
図１は、本実施形態の情報処理システム１の一例を示す図である。情報処理システム１は、いわゆるＡＲ（拡張現実）を実現するための処理を行う情報処理装置１０と、画像の撮像及び表示を行う撮像表示装置２０と、これら情報処理装置１０及び撮像表示装置２０を通信可能に接続するネットワーク９０とを備えている。ネットワーク９０は、例えばＬＡＮ（Local Area Network）又はＷＡＮ（Wide Area Network）、若しくはこれらの組み合わせであり、有線区間又は無線区間を含んでいる。なお、図１には、情報処理装置１０及び撮像表示装置２０を１つずつ示しているが、これらはそれぞれ複数であってもよい。
【００１８】
情報処理装置１０は、撮像表示装置２０によって撮像された現実空間の撮像画像を取得し、その現実空間に対して付加的な画像を重畳した状態で表示するよう、撮像表示装置２０を制御する。具体的には、情報処理装置１０は、スーパーマーケット等の店舗において陳列棚（以下、陳列用領域という）陳列されている商品とその数を識別し、その商品と数に応じた情報を現実世界に重畳した状態で撮像表示装置２０に表示させる。
【００１９】
図２は、撮像表示装置２０のハードウェア構成を例示する図である。撮像表示装置２０は、例えばグラス型、ヘッドマウントディスプレイ型又はコンタクトレンズ型のウェアラブルコンピュータ、或いは、スマートフォン又はタブレットなどの携帯型コンピュータである。ＡＲを実現する装置においては、現実空間の撮像画像を表示する表示面においてＡＲオブジェクトと呼ばれる付加的な画像をその撮像画像に重畳して表示するタイプと、ユーザの眼の前に配置された光透過型の表示面において、ユーザから表示面を介して見える現実空間の所定の位置に重なる表示面上の位置にＡＲオブジェクトを表示するタイプとがある。本実施形態に係る撮像表示装置２０はいずれもタイプであってもよく、ＡＲオブジェクトを現実空間に重畳表示する装置として機能する。
【００２０】
撮像表示装置２０は、ＣＰＵ２０１（Central Processing Unit）、ＲＯＭ（Read Only Memory）２０２、ＲＡＭ（Random Access Memory）２０３、補助記憶装置２０４、通信ＩＦ２０５、撮像部２０６、表示部２０７及び操作部２０８を有する。
【００２１】
ＣＰＵ２０１は、各種の演算を行うプロセッサである。ＲＯＭ２０２は、例えば撮像表示装置２０の起動に用いられるプログラム及びデータを記憶した不揮発性メモリである。ＲＡＭ２０３は、ＣＰＵ２０１がプログラムを実行する際のワークエリアとして機能する揮発性メモリである。補助記憶装置２０４は、例えばＨＤＤ（Hard Disk Drive）又はＳＳＤ（Solid State Drive）などの不揮発性の記憶装置であり、撮像表示装置２０において用いられるプログラム及びデータを記憶する。ＣＰＵ２０１がこのプログラムを実行することにより撮像表示装置２０はコンピュータ装置として機能し、後述する図５に示される機能が実現される。通信ＩＦ２０５は、所定の通信規格に従ってネットワーク９０を介した通信を行うためのインターフェースである。この通信規格は、無線通信の規格であってもよいし、有線通信の規格であってもよい。無線の場合、通信ＩＦ２０５は、例えばＬＴＥ（Long Term Evolution）又はＷｉ−Ｆｉ（登録商標）等の通信規格で動作するアンテナ及び通信回路を備えている。撮像部２０６はレンズ及び光学素子を含み、撮像した画像を示す撮像画像データを生成する。表示部２０７は、例えば液晶パネル及び液晶駆動回路などを含み、画像データに応じた画像を表示する。操作部２０８は、例えばキーやタッチセンサなどの操作子を含み、ユーザの操作を受け付けてその操作に応じた信号をＣＰＵ２０１に供給する。なお、撮像表示装置２０は、図２に例示した構成以外に、例えばＧＰＳ（Global Positioning System）ユニットや音声入出力部などの他の構成を含んでいてもよい。
【００２２】
図３は、情報処理装置１０のハードウェア構成を例示する図である。情報処理装置１０は、ＣＰＵ１０１、ＲＯＭ１０２、ＲＡＭ１０３、補助記憶装置１０４、及び通信ＩＦ１０５を有するコンピュータ装置である。ＣＰＵ１０１は、各種の演算を行うプロセッサである。ＲＯＭ１０２は、例えば情報処理装置１０の起動に用いられるプログラム及びデータを記憶した不揮発性メモリである。ＲＡＭ１０３は、ＣＰＵ１０１がプログラムを実行する際のワークエリアとして機能する揮発性メモリある。補助記憶装置１０４は、例えばＨＤＤ又はＳＳＤなどの不揮発性の記憶装置であり、情報処理装置１０において用いられるプログラム及びデータを記憶する。ＣＰＵ１０１がこのプログラムを実行することにより、後述する図５に示される機能が実現される。通信ＩＦ１０５は、所定の通信規格に従ってネットワーク９０を介した通信を行うためのインターフェースである。情報処理装置１０は、図３に例示した構成以外に、例えば表示部や操作部などの他の構成を含んでいてもよい。
【００２３】
補助記憶装置１０４は、店舗において代金を支払うことを条件にユーザに提供される商品に関するデータを含む商品データベース（以下、データベースをＤＢと省略する）を記憶している。
【００２４】
図４は、商品ＤＢの一例を示す図である。商品ＤＢには、ユーザに提供される商品を識別するための商品ＩＤと、その商品が陳列されている領域である陳列用領域を識別するための領域ＩＤと、その商品の在庫数（バックヤードとしての倉庫における在庫数）と、その商品の外観を立体的に示す３Ｄ（Dimension）の商品画像データと、その商品の入荷の予定に関する予定情報と、その商品の説明を示す商品説明情報と、その商品の割引に関する割引情報とを含む。例えば商品ＩＤ「Ｐ０１」の商品が陳列される陳列用領域は、領域ＩＤ「Ａ０１」の領域であり、その商品の在庫数は「１２０」である。ただし、この商品は、倉庫に保管されている在庫である「１２０」個以外に、陳列用領域に陳列されているものや、いずれかのユーザにより陳列用領域から取り出されてカートや買い物かごに入っていてまだ会計処理が済んでいないものが含まれている。商品説明情報は、例えばその商品の価格、成分、製造元、産地、広告等の情報を含む。割引情報は、陳列用領域に陳列されている商品の数が０の場合において、その商品が次に入荷されたときに定価から割り引かれる割引額をユーザに知らせるための情報である。予定情報、商品説明情報及び割引情報は、ＡＲオブジェクトに相当する。
【００２５】
図５は、情報処理システム１の機能構成の一例を示すブロック図である。図５に示すように、撮像表示装置２０においては、画像を撮像する撮像部２１と、情報処理装置１０による制御の下で画像データに応じた画像を表示する表示部２２という機能が実現される。
【００２６】
情報処理装置１０においては、店舗において陳列用領域を含む現実空間が撮像された撮像画像を撮像表示装置２０から取得する取得部１１と、取得された撮像画像を認識して、陳列用領域に陳列される商品を識別する商品識別部１２と、取得された撮像画像を認識して、陳列用領域に陳列される商品の数を識別する商品数識別部１３と、商品識別部１２により識別された商品に関する情報であって商品数識別部１３により識別された数に応じた情報を撮像表示装置２０において現実空間に重畳表示させる表示制御部１４という機能を実現する。表示制御部１４は、前述した商品ＤＢを記憶する記憶部１４１を含む。
【００２７】
表示制御部１４の表示制御をより具体的に説明する。表示制御部１４は、商品数識別部１３により識別された数が０の場合には、商品識別部１２により識別された商品の説明を含む情報を重畳表示させるほか、その商品が入荷されたときの割引に関する割引情報を撮像表示装置２０において現実空間に重畳表示させるとともに、その商品の入荷の予定に関する予定情報を重畳表示させる。一方、商品数識別部１３により識別された数が０を超える場合には、表示制御部１４は、撮像表示装置２０において上記の割引情報を現実空間に重畳表示させず、商品識別部１２により識別された商品の説明を含む情報を現実空間に重畳表示させる。
【００２８】
撮像表示装置２０において、撮像部２１はハードウェアとしての撮像部２０６及び通信ＩＦ２０５によって実現され、表示部２２はハードウェアとしての表示部２０７によって実現される。情報処理装置１０において、取得部１１はハードウェアとしての通信ＩＦ１０５によって実現され、商品識別部１２及び商品数識別部１３はハードウェアとしてのＣＰＵ１０１によって実現され、表示制御部１４はハードウェアとしてのＣＰＵ１０１、補助記憶装置１０４及び通信ＩＦ１０５によって実現される。
【００２９】
［動作］
図６を参照して、情報処理システム１の動作例について説明する。まず、ユーザは、店舗に入ると店内に用意されたカートを持ち、撮像表示装置２０の撮像部２１を起動する。これにより、店内の複数の陳列用領域（陳列棚）を含む現実空間の撮像が開始される（ステップＳ１１）。
【００３０】
それぞれの陳列用領域には、いわゆるＡＲマーカーが記されている。このＡＲマーカーは、例えば各陳列用領域の領域ＩＤを含む情報が符号化された２次元マーカーである。撮像部２１は、このような陳列用領域及びそのＡＲマーカーを含む現実空間を撮像した撮像画像データを情報処理装置１０に送信する（ステップＳ１２）。
【００３１】
情報処理装置１０の取得部１１が撮像画像データを取得すると、商品識別部１２は、撮像画像データについて画像認識を行って、撮像画像に含まれる陳列用領域に現に陳列されている商品及び現時点では欠品状態だが本来は陳列されるべき商品（以下、これらを陳列される商品という）を認識する（ステップＳ１３）。ここで行う画像認識は、ＡＲマーカーにおいて符号化された領域ＩＤを復号して、商品ＤＢにおいてその領域ＩＤに対応する商品ＩＤを特定する処理である。
【００３２】
情報処理装置１０の商品数識別部１３は、撮像画像データについて画像認識を行って、商品ＤＢに含まれている商品画像データと撮像画像データとを照合し、陳列用領域に陳列される商品の数を認識する（ステップＳ１４）。ここで行う画像認識は、撮像画像データにおいて、商品画像データの少なくとも一部に相当する部分画像の個数をカウントし、そのカウント数を商品数として特定する処理である。
【００３３】
情報処理装置１０の表示制御部１４は、商品数識別部１３により識別された数に応じて、撮像表示装置２０において現実空間に重畳表示させるＡＲオブジェクトを特定して記憶部１４１から読み出す（ステップＳ１５）。具体的には、表示制御部１４は、商品数識別部１３により識別された数が０の場合には、商品識別部１２により識別された商品の商品ＩＤに対応する予定情報、商品説明情報及び割引情報（ＡＲオブジェクト）を読み出す。一方、商品数識別部１３により識別された数が０を超える場合には、表示制御部１４は、商品識別部１２により識別された商品の商品ＩＤに対応する商品説明情報を読み出す。
【００３４】
表示制御部１４は、読み出したＡＲオブジェクトを、その表示位置（例えばＡＲマーカー近傍の所定の位置）を指定して撮像表示装置２０に送信する（ステップＳ１６）。これにより、商品識別部１２により識別された商品に関する情報であって商品数識別部１３により識別された数に応じた情報を撮像表示装置２０において現実空間に重畳表示させる表示制御がなされることになる。
【００３５】
撮像表示装置２０の表示部２２は、情報処理装置１０の表示制御部１４による制御に従い、ＡＲオブジェクトを指定された現実空間内の位置に重畳して表示する（ステップＳ１７）。これにより、例えばユーザの眼の前に配置された光透過型の表示面において、ユーザから表示面を介して見える現実空間内のＡＲマーカー近傍の所定の位置に重なる表示面上の位置にＡＲオブジェクトが表示される。
【００３６】
ユーザはこのＡＲオブジェクトを見て、自身の買い物の参考にする。つまり、ユーザの眼の前に陳列されている商品が０個の場合は、少なくとも陳列用領域においては欠品している状態であるからユーザはその商品を購入できない。ただし、予定情報、商品説明情報及び割引情報がＡＲ表示されるので、ユーザはそれを見て、商品に関する詳細な説明のほか、その商品が次に入荷する時期と、そのときの割引に関する情報を知ることができる。一方、陳列されている商品が０個を超える場合は、商品説明情報がＡＲ表示されるので、ユーザはそれを見て、商品に関する詳細な説明を知ることができる。
【００３７】
以上説明した実施形態によれば、ＡＲ（拡張現実）の技術を用いて、陳列される商品の数に応じた情報提供が可能となる。特に、陳列されている商品が０個の場合は、ユーザはその商品をすぐに購入できないが、ＡＲ表示された予定情報を見ることで次に購入可能な時期を知ることができる。さらに、ＡＲ表示された割引情報を見ることで、次の入荷時期にその商品を購入しようというユーザの動機が強くなるから、店舗における商品の販売促進に寄与する。
【００３８】
［変形例］
本発明は、上述した実施形態に限定されない。上述した実施形態を以下のように変形してもよい。また、以下の２つ以上の変形例を組み合わせて実施してもよい。
［変形例１］
実施形態では、商品として、スーパーマーケット等で提供される商品の例を挙げたが、販売される商品はどのようなものであってもよい。なお、商品の数という用語は、実施形態のような商品の個数以外に、商品の重さや大きさ等を含む概念である。
【００３９】
［変形例２］
表示制御部１４は、商品数識別部１３により識別された数が０を超える場合には、商品識別部１２により識別された商品の数に応じた価格を含む情報を重畳表示させるようにしてもよい。具体的には、商品ＤＢにおいて、陳列用領域に陳列されている商品の数とその商品との価格との対応関係が含まれており、表示制御部１４は、商品数識別部１３により識別された商品の数に対応する価格を撮像表示装置２０に送信して重畳表示させる。商品の数とその商品との価格との対応関係は、例えば、商品の数が多いほど商品の価格が高くなるような関係であってもよいし、商品の数が少ないほど商品の価格が高くなるような関係であってもよい。これにより商品の販売促進が期待できる。
【００４０】
［変形例３］
表示制御部１４は、商品識別部１２により識別された商品に関する情報であって、商品数識別部１３により識別された数の減少のしかたに応じた情報を重畳表示させるようにしてもよい。具体的には、商品ＤＢにおいて、陳列用領域に陳列されている商品の数の減少のしかたと、その商品との価格やメッセージとの対応関係が含まれている。表示制御部１４は、商品数識別部１３により識別された商品の数をその日時とともに時系列で記憶しておき、商品の数の減少のしかたに応じた価格やメッセージ等の情報を撮像表示装置２０に送信して重畳表示させる。このとき表示される情報は、例えば減少のしかたが或る基準を超えるような急激な場合には、「今、これが売れてます！！」というメッセージであってもよいし、商品の価格として定価よりも高い価格を提示するものであってもよい。また、例えば減少のしかたが或る基準を下回るような場合には、「ただいまセール中。お買い得です！！」というメッセージであってもよいし、商品の価格として定価よりも低い価格を提示するものであってもよい。これにより商品の販売促進が期待できる。
【００４１】
［変形例４］
情報処理装置１０はユーザが陳列される商品に触った回数又は期間を識別する接触識別部を備え、表示制御部１４が、商品識別部１２により識別された商品に関する情報であって、商品数識別部１３により識別された数及び接触識別部により識別された回数又は期間に応じた情報を重畳表示させるようにしてもよい。具体的には、接触識別部が、画像識別技術を用いて、ユーザが陳列用領域の前で商品を触った回数又はその期間を認識し、表示制御部１４は、その回数又は期間に応じて異なる情報を現実空間に重畳表示させる。ユーザが陳列用領域の前で商品を触った回数又はその期間と、表示対象となる情報との対応関係は商品ＤＢに含まれている。これにより、例えばユーザが陳列される商品に触った回数が多く又はその期間が長くなるほど、例えば「この商品が気になりますか？この商品は・・・・な人にとても売れてます。」とか、「この商品が気になるあなたにはレジで価格を割り引きます。」というようなメッセージが表示されることになり、商品の販売促進が期待できる。
【００４２】
［変形例５］
情報処理装置１０は陳列される商品を見ているユーザを識別するユーザ識別部を備え、表示制御部１４は、商品識別部１２により識別された商品に関する情報であって、商品数識別部１３により識別された数及びユーザ識別部により識別されたユーザに応じた情報を重畳表示させるようにしてもよい。具体的には、表示制御部１４は、店舗会員カード等を撮像表示装置２０が撮像した画像を解析することによってユーザを識別し、そのユーザの属性（年齢、性別、趣味嗜好等）に応じた、商品に関する情報を選択し、撮像表示装置２０においてその情報を重畳表示する例が考えられる。ユーザの属性と表示対象となる情報との対応関係は予め商品ＤＢに含まれている。これにより、例えばユーザが若い女性の場合には、例えば「この商品は若い女性に大人気です。」といったようなメッセージや、商品のターゲットなるユーザに対する割引価格が表示されることになり、商品の販売促進が期待できる。
【００４３】
さらに、表示制御部１４は、商品識別部１２により識別された商品に関する情報であって、商品数識別部１３により識別された数及びユーザ識別部により識別されたユーザによる当該商品の購入履歴に応じた情報を重畳表示させるようにしてもよい。具体的には、表示制御部１４は、店舗会員カード等を撮像表示装置２０で撮像することによってユーザを識別してそのユーザの購入履歴を記憶し、その購入履歴に応じた情報を撮像表示装置２０において重畳表示する例が考えられる。ユーザの購入履歴と表示対象となる情報との対応関係は予め商品ＤＢに含まれている。これにより、例えばユーザが或る商品を繰り返し購入している場合には、例えばそのユーザに対する割引価格が表示されることになり、商品の販売促進が期待できる。
【００４４】
［変形例６］
予定情報は次の入荷の予定に限らず、その商品の次の陳列又は提供の予定に関する情報であってもよい。つまり、陳列されている商品数が０であっても、在庫数が０でない場合には、次の陳列又は提供の予定を用いてもよい。
【００４５】
［そのほかの変形例］
上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。例えば、情報処理装置１０の機能の少なくとも一部が撮像表示装置２０に実装されてもよい。情報処理装置１０の機能の全部が撮像表示装置２０に実装された場合、撮像表示装置２０が本発明に係る情報処理装置として機能する。
【００４６】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００４７】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、その所定の情報の通知を行わない）ことによって行われてもよい。
【００４８】
本明細書で使用する「システム」及び「ネットワーク」という用語は、互換的に使用される。
【００４９】
本明細書で説明した情報又はパラメータなどは、絶対値で表されてもよいし、所定の値からの相対値で表されてもよいし、対応する別の情報で表されてもよい。例えば、無線リソースはインデックスで指示されるものであってもよい。
【００５０】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００５１】
本明細書で使用する「判定（determining）」、「決定（determining）」という用語は、多種多様な動作を包含する場合がある。「判定」、「決定」は、例えば、判定（judging）、計算（calculating）、算出（computing）、処理（processing）、導出（deriving）、調査（investigating）、探索（looking up）（例えば、テーブル、データベース又は別のデータ構造での探索）、確認（ascertaining）  した事を「判定」「決定」したとみなす事などを含み得る。また、「判定」、「決定」は、受信（receiving）  （例えば、情報を受信すること）、送信（transmitting）（例えば、情報を送信すること）、入力（input）、出力（output）、アクセス（accessing）（例えば、メモリ中のデータにアクセスすること）した事を「判定」「決定」したとみなす事などを含み得る。また、「判定」、「決定」は、解決（resolving）、選択（selecting）、選定（choosing）、確立（establishing）、比較（comparing）などした事を「判定」「決定」したとみなす事を含み得る。つまり、「判定」「決定」は、何らかの動作を「判定」「決定」したとみなす事を含み得る。
【００５２】
本発明は、情報処理システム１において行われる処理のステップを備える情報処理方法として提供されてもよい。また、本発明は、撮像表示装置２０又は情報処理装置１０において実行されるプログラムとして提供されてもよい。かかるプログラムは、光ディスク等の記録媒体に記録した形態で提供されたり、インターネット等のネットワークを介して、コンピュータにダウンロードさせ、これをインストールして利用可能にするなどの形態で提供されたりすることが可能である。
【００５３】
ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００５４】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００５５】
本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００５６】
本明細書で使用する「第１」、「第２」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２要素への参照は、２つの要素のみがそこで採用され得ること、又は何らかの形で第１要素が第２要素に先行しなければならないことを意味しない。
【００５７】
上記の各装置の構成における「手段」を、「部」、「回路」、「デバイス」等に置き換えてもよい。
【００５８】
「含む（ｉｎｃｌｕｄｉｎｇ）」、「含んでいる（ｃｏｍｐｒｉｓｉｎｇ）」、及びそれらの変形が、本明細書或いは特許請求の範囲で使用されている限り、これら用語は、用語「備える」と同様に、包括的であることが意図される。さらに、本明細書或いは特許請求の範囲において使用されている用語「又は（or）」は、排他的論理和ではないことが意図される。
【００５９】
本開示の全体において、例えば、英語でのa、an、及びtheのように、翻訳により冠詞が追加された場合、これらの冠詞は、文脈から明らかにそうではないことが示されていなければ、複数のものを含むものとする。
【００６０】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００６１】
１…情報処理システム、１０…情報処理装置、１１…取得部、１２…商品識別部、１３…商品数識別部、１４…表示制御部、１４１…記憶部、２０…撮像表示装置、２１…撮像部、２２…表示部、９０…ネットワーク、１０１…ＣＰＵ、１０２…ＲＡＭ、１０３…ＲＯＭ、１０４…補助記憶装置、１０５…通信ＩＦ、２０１…ＣＰＵ、２０２…ＲＡＭ、２０３…ＲＯＭ、２０４…補助記憶装置、２０５…通信ＩＦ、２０６…撮像部、２０７…表示部、２０８…操作部。
【図１】
2019082824.tif 000003
【図２】
2019082824.tif 000004
【図３】
2019082824.tif 000005
【図４】
2019082824.tif 000006
【図５】
2019082824.tif 000007
【図６】
2019082824.tif 000008